(57)【要約】      （修正有）【課題】３芯平型電線を所定の機械で自動的に被覆物を剥離する一対の円形刃物を提供する。【解決手段】一対の円形刃物１、２の右側に３芯平型電線φ２．６×３芯用の鋭歯３、４及び左側に線径φ２．０×３芯用の鋭歯３ａ、４ａと中央部に１芯円型電線用の凹凸型平歯を形成する。次に押圧力が発生するように調節された回転している駆動軸用刃物１と停止している従動軸用刃物２の間隙に３芯平型電線５を所定のワークガイドを介して差し込むと３芯平型電線５を介して刃物２が従動回転し、３芯平型電線５の被覆物６に円形刃物１、２の鋭歯３ａ、４ａが食込みながら送り出すと同時に被覆物６に対して間隙により発生した押圧力がかかり、さらに鋭歯３ａ、４ａの傾斜面には直角に働く分力が発生する。【選択図】図１
0003167598.tif 000002
【実用新案登録請求の範囲】
【請求項１】
（１）本考案の一対の１、２の円形刃物は登録番号第３１６３４９９号の電線の被覆物剥離機に構成された駆動軸、従動軸に嵌着して使用するものである。
（２）一対の円形刃物１、２の内、キー溝を有する１の円形刃物は駆動軸に、同じくキー溝を有する円形刃物２は従動軸に嵌着する。
（３）一対の円形刃物１、２は共に頂角１３を有する鋭歯３、４、３ａ、４ａを円形刃物１、２の両側に形成し、駆動軸刃物１は刃物中央部に凹型平歯８をを有し、従動軸用刃物２は同じく刃物中央部に凸型平歯９を形成する。
（４）適応に調節された３、４、３ａ、４ａの間隙に例えば３芯平型電線５を３ａ、４ａの間隙に所定のワークガイドで介挿し被覆物６を剥離し、さらに第２工程の凹凸型平歯８、９の調節された間隙に分離した１芯円型電線１０を介挿すれば被覆物１１と銅線１２に分離されて排出する。
以上の構成から成る電線の被覆物剥離用一対の円形刃物
【考案の詳細な説明】
【技術分野】
【０００１】本考案は一般屋内配線に使用する３芯平型電線の被覆物を自動的に剥離するための３芯平型電線専用の一対の円形刃物に関するものである。【０００２】本考案の一対の円形刃物は下記登録番号の電線の被覆物剥離機に上下平行に構成された駆動軸、従動軸にそれぞれ１個づつ嵌着して使用するものである。
登録  第３１６３４９９号  参照
【背景技術】
【０００３】従来の剥離機は手動式から複雑な機構のものまで多種多様に亘りそれらの剥離機に使用する刃物は一般屋内配線用の１芯、２芯の円型電線に使われるものが非常に多く、３芯平型電線を剥離する刃物は存在しなかった。
特開平１１−９８６３８  特開２００１−２９８８２２  特開２００３−８７９２４
【考案の概要】
【考案が解決しようとする課題】
【０００４】上記で述べたように、従来技術の電線の被覆物剥離作業の現況に於いて各電気工事業者は自作の簡易刃物工具で被覆物を切り裂き、カッターナイフによる危険な皮むき手作業を行って来た。このため銅線に傷がつき易く、又時間を要し効率よく作業が出来なかった。そのような現状に鑑み全く新しい画期的な、３芯平型電線を所定の機械で自動的に剥離する一対の円形刃物を提供することを課題とした。
【課題を解決するための手段】
【０００５】この考案に係わる３芯平型電線を剥離するための一対の円形刃物は、図１、図２に示すように、刃物の両側に縦切り鋭刃２ヶ所と中央部に凹凸状の平歯を１ヶ所を形成した。【０００６】当該３芯平型電線は両側の鋭歯の内、片側一ヶ所のみを使用して被覆物を切り裂き、次に分離された１芯円型電線は中央部の平歯で皮むきを行う。つまり２工程の剥離作業になる。【０００７】前記、技術分野で述べたように、当該円形刃物１を駆動軸に円形刃物２を従動軸に嵌着し、上下刃物の所定の間隙に当該３芯平型電線５をワークガイドを介して押し込めばきれいに被覆物と芯線が分離するようにした。但し刃物の回転速度は被覆物の材質の硬軟と被加工用電線の大きさに対応して調整する。【０００８】さらに当該、一対の円形刃物の両側の鋭歯部分の片側を銅線直径φ２．６×３芯用と他方片側をφ２．０×３芯用として形成した。
【考案の効果】
【０００９】図１、図２に示すように回転している当該一対の円形刃物１、２の間隙に所定のワークガイドを使用して３芯平型電線５を介挿すれば、前記で述べたように２工程の作業で確実にして簡単に被覆物６と芯線７を分離し、又１芯円型電線１０は凹凸型平歯８、９により被覆物１１と銅線１２に分離される。【００１０】自作の簡易刃物工具又はカッターナイフ等で３芯平型電線の皮むき作業を行って現状を維持して来た業界にとって本考案の一対の円形刃物がもたらす影響は計り知れないものがあると思われる。
【図面の簡単な説明】
【００１１】
【図１】３芯平型電線φ２．０×３芯を介挿した部分断面側面図。
【図２】１芯円型電線を介挿した部分断面側面図。
【図３】３芯平型電線をワークガイドで介挿しようとする正面説明図。
【考案を実施するための形態】
【００１２】図１に示すように一対の円形刃物１、２の右側に３芯平型電線φ２．６×３芯用の鋭歯３、４及び左側に線径φ２．０×３芯用の鋭歯３ａ、４ａと中央部に１芯円型電線１０用の凹凸型平歯８、９を形成した。
【００１３】次に図１に示す如く、押圧力が発生するように調節された回転している駆動軸用刃物１と停止している従動軸用刃物２の間隙に３芯平型電線５を所定のワークガイドを介して差し込むと３芯平型電線５を介して刃物２が従動回転し、３芯平型電線５の被覆物６に円形刃物１、２の鋭歯３ａ、４ａが食込みながら送り出すと同時に被覆物６に対して間隙により発生した押圧力がかかり、さらに鋭歯３ａ、４ａの傾斜面には直角に働く分力が発生する。
【００１４】上記、鋭歯３ａ、４ａの傾斜面に押圧力により被覆物６を切り裂く直角分力が効果的に発生するように鋭歯３ａ、４ａの２等辺三角形状の頂角１３を適宜に形成した。
【００１５】さらに１芯円型電線１０を皮むきする過程に於いて被覆物１１が外に逃げないように平歯８は凹型に形成し平歯９は被覆物１１を剥ぎ取る故に凸型に形設した。
【００１６】そして鋭歯３、４、３ａ、４ａの歯底円は、被覆物の巻きつきを防止するために更新的に試作を繰返し略円弧状に形成した。
【００１７】又、図２に示すように剥離により分離された１芯円型電線１０を皮むきするための凸型平歯９の外径上に加工用電線を連続的に送りこむためにローレット加工を施し、さらに円形刃物１、２の歯部全周を熱処理加工をした。
【実施例】
【００１８】以下、本考案の実施例を図面に基づいて説明する。先ず本考案の一対の円形刃物１、２は前記、登録番号の電線の被覆物剥離機に嵌着し、当該剥離機に設置されたネジを廻すハンドルを操作して円形刃物１、２の間隙に適度な押圧力がかかるように調節する。【００１９】図３に示すように加工用電線を当該剥離機に設置されたワークガイドの溝に合わせて介挿すれば確実に被覆物６と芯線７が長手方向に上下同時に切り裂かれて分離して排出される。【００２０】上記により分離された１芯円型電線１０は同じくワークガイドの溝に合わせて１本づつ介挿するのであるが、その前に凹凸型の平歯８、９の間隙に一定の押圧力がかかるように間隙を適宜に調節する。【００２１】当該剥離機にて皮むき作業中に、加工用電線の被覆物が、若し刃物に巻きつき簡単に取れない時は刃物を外して被覆物を除去する。【００２２】本考案の一対の円形刃物で、３芯平型電線５を所定の剥離機で皮むき作業を行う場合、前記で述べたように作業は２工程になり、その都度１、２の円形刃物の間隙を若干の押圧力が被覆物６、１１にかかるように調節することが肝要である。
【符号の説明】
【００２３】１    円形刃物（駆動軸用）                ７    芯線
２    円形刃物（従動軸用）                ８    凹型平歯
３    鋭歯                                ９    凸型平歯
４    鋭歯                              １０    １芯円型電線
３ａ  鋭歯                              １１    被覆物（１芯円型電線）
４ａ  鋭歯                              １２    銅線
５    ３芯平型電線（φ２．０×３芯）    １３    頂角
６    被覆物（３芯平型電線）
【図１】
0003167598.tif 000003
【図２】
0003167598.tif 000004
【図３】
0003167598.tif 000005
【手続補正書】
【提出日】平成23年2月10日(2011.2.10)
【手続補正１】
【補正対象書類名】実用新案登録請求の範囲
【補正対象項目名】請求項１
【補正方法】変更
【補正の内容】
【請求項１】
（１）本考案の一対の１，２の円形刃物は電線の被覆物剥離機に構成された駆動軸、従動軸に嵌着して使用するものである。
（２）上記剥離機のベース上に固定してある箱形支柱の下部に駆動軸を軸受を有する固定板に通し、その右側方にカップリングを介して減速機付きモーターを一直線状に施設し、左側方にはキー溝を有する円形刃物１を嵌着し，そして支柱に設置してあるガイドの溝に固定板を固設しさらに駆動軸に対して上下平行に同じくガイドの溝に摺動可能に施設した軸受を有する移動板に従動軸を通し左側方にキー溝を有する円形刃物２を嵌着する。但し従動軸に嵌着した円形刃物２を上下に調節する場合はネジ穴を有する移動板に螺合したネジ軸に螺設したハンドルを操作して同じく螺設されたクランプで移動板を固定する。
（３）一対の円形刃物１，２は共に頂角１３を有する鋭歯３，４，３ａ，４ａを円形刃物１．２の両側に形成し、駆動軸用刃物１は刃物中央部に凹型平歯８を有し従動軸用刃物２は同じく刃物中央部に凸型平歯９を形成する。
（４）適応に調節された鋭歯３，４，３ａ，４ａの間隙に例えば３芯平型電線５を鋭歯３ａ，４ａの間隙に当該剥離機に設置されたワークガイドで介挿し被覆物６を剥離し、分離された３本の１芯円形電線１０を一本づつ凹凸型平歯８，９の調節された間隙に所定のワークガイドで介挿すれば被覆物１１と銅線１２に分離されて排出する。
以上の構成から成る電線の被覆物剥離用一対の円形刃物